(57)【要約】【課題】組立て用に別途部品を必要とすることなく、簡単に、短時間で組立てることのできる組立て式洗面化粧台を提供する。【解決手段】洗面ボウル３を備え後方はオープンとされたカウンター１とキャビネット２とからなる洗面化粧台であって、上記カウンター１はカウンター面１１とカウンターエプロン１２と左右側板１３とからなり、上記左右側板の内側にはそれぞれ長手方向に凸条１４が延設され、上記キャビネット２の左右側面板２１の外側にはそれぞれ長手方向に凹溝２４が設けられるとともに、上記カウンター１をキャビネット２に外嵌し上記凸条１４を凹溝２４に嵌入して組立てる組立て式洗面化粧台。【選択図】図１
2006296933.tif 000002
【特許請求の範囲】
【請求項１】
洗面ボウルを備え後方はオープンとされたカウンターとキャビネットとからなる洗面化粧台であって、上記カウンターはカウンター面とカウンターエプロンと左右側板とからなり、上記左右側板の内側にはそれぞれ長手方向に凸条が延設され、上記キャビネットの左右側面板の外側にはそれぞれ長手方向に凹溝が設けられるとともに、上記カウンターをキャビネットに外嵌し上記凸条を凹溝に嵌入して組立てる組立て式洗面化粧台。
【請求項２】
上記凸条は後方になるほど丈が低くなるテーパ形状を有するとともに、上記凹溝は後方になるほど幅が狭くなるテーパ形状を有し、上記凸条を凹溝に嵌入して組み立てる請求項１に記載の組立て式洗面化粧台。
【請求項３】
洗面ボウルの外周面に、上記カウンターの左右側板の内側上部との間に係合溝部を形成するように出隅部を突設し、この係合溝部にキャビネットの側面板の上端部がスライドして係合する請求項１に記載の組立て式洗面化粧台。
【発明の詳細な説明】
【技術分野】
【０００１】
本発明は、洗面化粧台に関する。さらに詳しくは、簡単に組立てることのできる組立て式洗面化粧台の構造に関する。
【背景技術】
【０００２】
上記組立て式洗面化粧台の構造については、洗面ボウルとカウンターとキャビネットとからなり、洗面ボウルの周縁に設けられた鍔部に複数の取り付け孔を形成し、この取付け孔を介してキャビネットとカウンターとをインサートボルトによって施工現場で組立てる構造が提案されている。
【特許文献１】特開平９−１４９８５６号公報（第１〜３頁、第１図）
【発明の開示】
【発明が解決しようとする課題】
【０００３】
しかしながら、上記特許文献１に開示された組立て式洗面化粧台においては、インサートボルト等の組立て用の部品を必要とし、また、組立てるために手間がかかるという問題がある。本発明はこのような問題を解決して、組立て用に別途部品を必要とすることなく、簡単に、短時間で組立てることのできる組立て式洗面化粧台を提供することをその課題とする。
【課題を解決するための手段】
【０００４】
上記課題を解決するために、本発明においては、つぎのような技術的手段を講じている。すなわち、本発明によれば、洗面ボウルを備え後方はオープンとされたカウンターとキャビネットとからなる洗面化粧台であって、上記カウンターはカウンター面とカウンターエプロンと左右側板とからなり、上記左右側板の内側にはそれぞれ長手方向に凸条が延設され、上記キャビネットの左右側面板の外側にはそれぞれ長手方向に凹溝が設けられるとともに、上記カウンターをキャビネットに外嵌し上記凸条を凹溝に嵌入して組立てる組立て式洗面化粧台が提供される。
【０００５】
上記凸条は後方になるほど丈が低くなるテーパ形状を有するとともに、上記凹溝は後方になるほど幅が狭くなるテーパ形状を有し、上記凸条を凹溝に嵌入して組み立てることが好ましい。また、洗面ボウルの外周面に、上記カウンターの左右側板の内側上部との間に係合溝部を形成するように出隅部を突設し、この係合溝部にキャビネットの側面板の上端部がスライドして係合されることが好ましい。
【発明の効果】
【０００６】
請求項１に記載の発明にかかる組立て式洗面化粧台は上記のとおりであり、カウンターを構成する左右側板の内側にはそれぞれ長手方向に凸条が延設されるとともに、キャビネットの左右側面板の外側にはそれぞれ長手方向に凹溝が設けられ、洗面ボウルを備えた上記カウンターをキャビネットに外嵌し、上記凸条を凹溝に嵌入して組立てるため、インサートボルト等の組立て用の部品を別途必要とすることなく、簡単に、短時間で組立てることができる。
【０００７】
上記凸条は後方になるほど丈が低くなるテーパ形状を有するとともに、上記凹溝は後方になるほど幅が狭くなるテーパ形状を有しているため、上記凸条を凹溝に嵌め込んだとき、テーパ面どうしが当接してタイトに嵌入されるため、カウンターを手前側から押し込んでキャビネットに外嵌させ、しっかりと組み付けることができる。
【０００８】
洗面ボウルの外周面に、上記カウンターの左右側板の内側上部との間に係合溝部を形成するように出隅部を突設し、この係合溝部にキャビネットの側面板の上端部がスライドして係合するため、幕板を取り付けることなく、キャビネットの剛性を保つことができる。
【発明を実施するための最良の形態】
【０００９】
以下、本発明の実施形態について図面を参照して、詳細に説明する。図１は、カウンター１とこのカウンター１が外嵌するキャビネット２とからなる本発明の組立て式洗面化粧台を示す分解斜視図である。図１に示すようにカウンター１のカウンター面１１には洗面ボウル３が設けられている。なお、説明を容易にするために、キャビネット２の正面に取り付けられる開閉扉の図示は省略している。図２は、図１に示すカウンター１のＡ−Ａ線に沿う縦断面図であり、図３はＢ−Ｂ線に沿う側断面図である。
【００１０】
図２、図３からわかるように、後方がオープン構造のカウンター１は、その正面がカウンターエプロン１２とされ、左右には側板１３がそれぞれ垂設されている。この左右側板１３の内側には、その長手方向にそれぞれ凸条１４が設けられ、図３によく示されているように、上記凸条１４は後方になるほど丈が低くなるテーパ形状を有している。
【００１１】
一方、キャビネット２は、図１に示すように左右の側面板２１、底板２２、背板２３とから構成され、上記左右側面板２１のそれぞれ外側にはその長手方向に凹溝２４が設けられている。この凹溝２４は、上記凸条１４と同様に後方になるほど幅が狭くなるテーパ形状を有し、上記凸条１４を凹溝２４に嵌め込んだときテーパ面どうしが当接し、タイトに収めるようにされている。また、図２に示されているように、洗面ボウル３の外周面に、上記カウンター１の左右側板１３の内側上部との間に係合溝部１５を形成するように出隅部３１を突設し、この係合溝部１５にキャビネット２の側面板２１の上端部２１１がスライドして係合するようにされている。
【００１２】
図４は、カウンター１の左右側板１３の内側にそれぞれ延設された先細のテーパ状の凸条１４を、キャビネット２の左右各側面板２１の外側に設けられ、上記凸条１４と略同一のテーパを持つ凹溝２４に嵌入した状態を示す縦断面図である。同じく図４には上記係合溝部１５にキャビネット２の側面板２１の上端部２１１をスライドして係合させた状態を示す。
【００１３】
このように、本発明にかかる組立て式洗面化粧台は凸条１４を凹溝２４に嵌入するとともに、側面板２１の上端部２１１を係合溝部１５にスライドして係合させるため、組立て用に別途部品を必要とすることなく、簡単に、短時間で組立てることができる。また、図４によく示されているように、左右各２箇所でキャビネット２とカウンター１とが組み付けられているため、幕板を取り付けることなく、キャビネット２の剛性を保つことができる。
【００１４】
以上のごとく本発明の組立て式洗面化粧台は、簡単に、短時間で組み立てることができ、インサートボルト等の組立て用の部品や、幕板等の補強材等が不要となるため、部品点数を削減することが可能となり、コスト的に有利に、かつ、しっかりと組み立てることができる。
【図面の簡単な説明】
【００１５】
【図１】本発明にかかる組立て式洗面化粧台を示す分解斜視図である。
【図２】図１に示すカウンターのＡ−Ａ線に沿う縦断面図である。
【図３】図１に示すカウンターのＢ−Ｂ線に沿う側断面図である。
【図４】カウンターをキャビネットに外嵌し、凸条を凹溝に嵌入して組立てた本発明の組立て式洗面化粧台を示す縦断面図である。
【符号の説明】
【００１６】
１          カウンター
１１        カウンター面
１２        カウンターエプロン
１３        側板
１４        凸条
１５        嵌合溝部
２          キャビネット
２１        側面板
２１１      上端部
２２        底板
２３        背板
２４        凹溝
３          洗面ボウル
３１        出隅部
【図１】
2006296933.tif 000003
【図２】
2006296933.tif 000004
【図３】
2006296933.tif 000005
【図４】
2006296933.tif 000006